(57)【要約】      （修正有）【課題】発光ダイオードを光源とし、光線発射方向が実質上全方向に近い電球を提供する。【解決手段】本電球は、少なくとも１つの光を透過できる灯体１０を含む。灯体の一端は、従来の白熱電球ソケットをねじ込み、電気接続させることができる端体２０を設ける。該電球は、更に少なくとも１つの灯盤３０及び支持柱４０を含む。各灯盤周縁は、複数の相互に背を向けた発光ダイオード３１を、間隔を置いて設ける。該支持柱は、該端体から該灯体内部に延伸して進入し、該灯盤らを適当な間隔で連結する。各灯盤は、回路を有し、その上の発光ダイオードに電気を供給し動作させる。該支持柱は、導電メカニズムも有し、該端体の電気接続を各灯盤の該回路に延伸し、接続する。【選択図】図１ａ
0003154158.tif 000002
【実用新案登録請求の範囲】
【請求項１】
透光な灯体と、
該灯体の一端に設けられ、外部にねじ山と電気接点を設け、電球ソケットにねじ込むことができ、該電球ソケットが電気接続させる端体と、
該端体から該灯体内部に延伸進入する支持柱と、
該灯体内部に配置され、該支持柱上に連結し、その周縁は、複数の相互に背を向けた発光ダイオードを、間隔を置いて設けられ、少なくとも１つの回路を有し、該発光ダイオードに電気を供給し、動作させる灯盤と、
を少なくとも含み、
該支持柱が導電メカニズムを有し、該導電メカニズムが該端体の該電気接続を各灯盤の該回路に接続する発光ダイオードを光源とする全方向電球。
【請求項２】
前記灯盤が少なくとも２つある請求項１記載の発光ダイオードを光源とする全方向電球。
【請求項３】
隣接する灯盤の発光ダイオードが交互に配置される請求項２記載の発光ダイオードを光源とする全方向電球。
【考案の詳細な説明】
【技術分野】
【０００１】
本考案は、電球に関し、特に、発光ダイオードを光源とし、光線発射方向が実質上全方向に近い電球に関する。
【背景技術】
【０００２】
発光ダイオード（light emitting diode, LED）は、省電力で、発熱せず、寿命が長い等の要因により、各種照明分野中に応用を拡張されている。但し、発光ダイオードは、パッケージ等構造上の要因により、発射する光線は、通常一定の範囲内に局限され、これにより、現在使用が拡大している発光ダイオードの多くは、投射型の応用、例えば、懐中電灯、車両灯、外灯等に属している。相対して、現在家屋内で最もよく使用される白熱電球は、フィラメントの熱効果を利用して発光し、その光線発射方向は、全方向である（omnidirectional）。従って、家屋の照明において、発光ダイオードを使用して従来のフィラメントに置き換えようとする場合、発光ダイオードの発射方向の局限性の問題を解決する必要がある。
【先行技術文献】
【特許文献】
【０００３】
【特許文献１】特開２００７−２９４３７３号公報
【考案の概要】
【考案が解決しようとする課題】
【０００４】
そこで、本考案は、発光ダイオードを光源とし、光源発射方向が実質上全方向に近い電球を提供することを目的とする。
【課題を解決するための手段】
【０００５】
本考案が提供する電球は、少なくとも１つの光を透過できる灯体を含む。灯体の一端は、従来の白熱電球ソケットをねじ込み、電気接続させることができる端体を設ける。該電球は、更に少なくとも１つの灯盤及び支持柱を含む。各灯盤周縁は、複数の相互に背を向けた発光ダイオードを、間隔を置いて設ける。該支持柱は、該端体から該灯体内部に延伸して進入し、該灯盤らを適当な間隔で連結する。
各灯盤が少なくとも１つの回路を有し、その上の発光ダイオードに電気を供給して動作させる。該支持柱も導電メカニズムを有し、該端体の電気接続を各灯盤の該回路に延伸し接続する。
【０００６】
本考案は、下記の特徴を有する。
（１）透光な灯体と、
該灯体の一端に設けられ、外部にねじ山と電気接点を設け、電球ソケットにねじ込むことができ、該電球ソケットが電気接続させる端体と、
該端体から該灯体内部に延伸進入する支持柱と、
該灯体内部に配置され、該支持柱上に連結し、その周縁は、複数の相互に背を向けた発光ダイオードを、間隔を置いて設けられ、少なくとも１つの回路を有し、該発光ダイオードに電気を供給し、動作させる灯盤と、
を少なくとも含み、
該支持柱が導電メカニズムを有し、該導電メカニズムが該端体の該電気接続を各灯盤の該回路に接続する発光ダイオードを光源とする全方向電球。
（２）前記灯盤が少なくとも２つある（１）記載の発光ダイオードを光源とする全方向電球。
（３）隣接する灯盤の発光ダイオードが交互に配置される（２）記載の発光ダイオードを光源とする全方向電球。
【考案の効果】
【０００７】
本考案は、発光ダイオードを光源とし、光源発射方向が実質上全方向に近い電球を提供する。
【図面の簡単な説明】
【０００８】
【図１ａ】本考案の発光ダイオードを光源とする全方向電球の実施例の側面説明図である。
【図１ｂ】本考案の発光ダイオードを光源とする全方向電球の灯盤の上面拡大説明図である。
【図２】本考案の発光ダイオードを光源とする全方向のもう１つの実施例の側面説明図である。
【考案を実施するための形態】
【０００９】
図面、実施例の詳細な説明に併せ、上記及び本考案のその他の目的と利点を以下に記載する。しかしながら、図面は、本考案の精神を解説する為に設けるのであって、本考案の範疇の定義とみなすものではない。
【００１０】
図１ａに示すように、本考案が提供する電球は、少なくとも１つ光を透過できる灯体１０を含む。該灯体１０は、中空であり、その外形は、従来の白熱電球の円球状又は図に示すような卵形又はその他の適当な形状であることができる。
【００１１】
該灯体１０の一端は、ねじ山２１有し、従来の白熱電球をねじ込むことができる電球ソケット（図示せず）の端体２０を設ける。該端体２０は、通常、２つの電気接点（図示せず、通常、１つがねじ山２１自身であり、もう１つが端体２０底部に設けられる）を有し、電球ソケットが提供する電圧の二極と接続する。端体２０内部は、整流、レギュレータ、又はその他の適当な回路（例えば、過電流保護回路等）を設けることができ、当業者にとって、これら回路は、自明であるので、図中に記載しない。
【００１２】
該電球は、更に、少なくとも１つの灯盤３０と支持柱４０を含む。灯盤３０は、図に示すような円形、多辺形、又はその他の形状であることができる。灯盤３０の周縁は、２つ又は複数の相互に背を向けた発光ダイオード３１を、間隔を置いて設ける。「相互に背を向ける」とは、該発光ダイオード３１の正面（出光面）が灯盤３０の遠心方向に向き、背面が相互に相対することである。図１ｂに示すように（そのうちの点線は、光線の発射範囲を表す）、これら発光ダイオード３１の発射光線がほぼ全方向の照射範囲を共同で構成すること分かり、これにより、発光ダイオードの光線発射方向の局限性の問題を解決することができる。従って、各灯盤３０が採用する発光ダイオード３１の数が多くなるほど、その間隔は小さくなり、該電球の照射範囲の全方向性が高くなり、明るさもより強くなる。図２を同時に参照すると、該電球の明るさを更に向上させるため、１つ以上の灯盤３０を採用することができる。
【００１３】
図２に示すように、該支持柱４０は、該端体２０から該灯体１０内部に延伸進入し、少なくとも２つの灯盤３０を、間隔を置いて連結する。少なくとも２つの灯盤３０を使用する実施例中、発光ダイオード３１の使用数量を節約するため、隣接する２つの灯盤３０の発光ダイオード３１を交互方式で配置し（すなわち、垂直方向において、２つの隣接する発光ダイオード３１が同一位置に配置されない）、図２に示すように、発光ダイオード３１が立体空間で均一分布を達成し、照明度を効率的に増加し、照射範囲が重なり合う不経済を回避する。
【００１４】
支持柱４０は、灯盤３０を固定する作用を有する以外、更に、電気伝導の作用を有する。各灯盤３０は、少なくとも回路を有し、その上の発光ダイオード３１に電気を供給し動作させる。該支持柱４０は、導電メカニズムも有し、該端体２０の回路及び各灯盤３０の回路を接続する。当業者にとって、前記の回路及び導電メカニズムは、自明であるので、ここでは、図中に記載しない。
【００１５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１６】
１０  灯体
２０  端体
２１  ねじ山
３０  灯盤
３１  発光ダイオード
４０  支持柱
【図１ａ】
0003154158.tif 000003
【図１ｂ】
0003154158.tif 000004
【図２】
0003154158.tif 000005